(57)【要約】【課題】光を利用した多種多様な加飾が得られるようにして、特徴的で固有の雰囲気を醸し出させる美的もしくは斬新で新奇な装飾効果を生じさせることができる繰り上げ式の棒状物収納ケースを提供する。【解決手段】内周に螺旋溝７が形成された中空筒体状のケース本体２と、ケース本体内に設けられた光源装置１１と、上端部がケース本体の上端部から突出されて当該ケース本体内に相対回転可能に設けられ、螺旋溝の形成部分に縦スリット９が形成されるとともに、光源装置の光を透過させる光透過部が形成された中空筒体状のカバー３と、カバー内に上下方向へ相対移動自在に設けられ、縦スリットを貫通して螺旋溝に係合する突起１０が形成されるとともに、光源装置の光を透過させる光透過部が形成され、棒状物５を保持する保持体４と、カバーを覆ってケース本体の上端部に着脱可能に装着されるキャップ６とを備えた。【選択図】          図３
2004337319.tif 000002
【特許請求の範囲】
【請求項１】
内周に螺旋溝が形成された中空筒体状のケース本体と、該ケース本体内に設けられた光源装置と、上端部が上記ケース本体の上端部から突出されて当該ケース本体内に相対回転可能に設けられ、上記螺旋溝の形成部分に縦スリットが形成されるとともに、上記光源装置の光を透過させる光透過部が形成された中空筒体状のカバーと、該カバー内に上下方向へ相対移動自在に設けられ、上記縦スリットを貫通して上記螺旋溝に係合する突起が形成されるとともに、上記光源装置の光を透過させる光透過部が形成され、棒状物を保持する保持体と、上記カバーを覆って上記ケース本体の上端部に着脱可能に装着されるキャップとを備えたことを特徴とする繰り上げ式の棒状物収納ケース。
【請求項２】
前記キャップには、前記カバーを透過した前記光源装置の光を透過させる光透過部が形成されることを特徴とする請求項１に記載の繰り上げ式の棒状物収納ケース。
【請求項３】
前記ケース本体には、前記光源装置の光を透過させる光透過部が形成されることを特徴とする請求項１または２に記載の繰り上げ式の棒状物収納ケース。
【請求項４】
前記光源装置は、光源と、該光源の発光をコントロールするコントローラと、これらコントローラおよび光源に電力を供給するバッテリとからなることを特徴とする請求項１〜３いずれかの項に記載の繰り上げ式の棒状物収納ケース。
【発明の詳細な説明】
【０００１】
【発明の属する技術分野】
本発明は、光を利用した多種多様な加飾が得られるようにして、特徴的で固有の雰囲気を醸し出させる美的もしくは斬新で新奇な装飾効果を生じさせることができる繰り上げ式の棒状物収納ケースに関する。
【０００２】
【従来の技術】
従来、棒状物を収納する収納ケースとしては、例えば特許文献１に開示されているように、使用するときには棒状物である口紅を収納ケースから繰り上げ、収納するときには、収納ケース内に繰り下げるようにした繰り上げ式の棒状物収納ケースが知られている。そしてこのような棒状物収納ケースにあっては一般に、そのデザイン性を高めるために、従来からさまざまな方法によって加飾が施されている。例えば、塗装などにより着色したり、スパッタリングなどによって表面処理を行ったり、プレート材や転写シートを用いて平面的あるいは立体的に文字や模様などを施したり、模様などを付した上に透明・半透明の層を重ねたりするなどして、収納ケースの表面に装飾を施すようにしていた。
【０００３】
なお、本願出願人は、関連する先行出願として、特願２００２−２２１１８９号および特願２００３−１１６２８９号を出願している。
【０００４】
【特許文献１】
特開平９−１８２６２１号公報
【０００５】
【発明が解決しようとする課題】
ところで、上記従来の技術で得られる加飾はいずれも、既にありきたりなものであり、装飾を施すという技術面から見ると、限界があった。
【０００６】
ここに本発明者は、上述したようなこれまでの加飾技術では考えられていなかった、光源からの光を利用することに着目し、光によって加飾を行うことによって、棒状物収納ケースに、今まで見たことのない美的装飾効果を与え得るとの知見を得て、本発明を完成するに至ったものである。
【０００７】
本発明は上記従来の課題に鑑みて創案されたものであって、光を利用した多種多様な加飾が得られるようにして、特徴的で固有の雰囲気を醸し出させる美的もしくは斬新で新奇な装飾効果を生じさせることができる繰り上げ式の棒状物収納ケースを提供することを目的とする。
【０００８】
【課題を解決するための手段】
本発明にかかる繰り上げ式の棒状物収納ケースは、内周に螺旋溝が形成された中空筒体状のケース本体と、該ケース本体内に設けられた光源装置と、上端部が上記ケース本体の上端部から突出されて当該ケース本体内に相対回転可能に設けられ、上記螺旋溝の形成部分に縦スリットが形成されるとともに、上記光源装置の光を透過させる光透過部が形成された中空筒体状のカバーと、該カバー内に上下方向へ相対移動自在に設けられ、上記縦スリットを貫通して上記螺旋溝に係合する突起が形成されるとともに、上記光源装置の光を透過させる光透過部が形成され、棒状物を保持する保持体と、上記カバーを覆って上記ケース本体の上端部に着脱可能に装着されるキャップとを備えたことを特徴とする。
【０００９】
ケース本体内に光源装置を設けるとともに、カバーおよび保持体に光透過部を形成するようにしていて、ケース本体内で発せられる光源装置の光は、当該ケース本体に設けられたカバー、並びに当該カバーに設けられた保持体の光透過部を透過して、それらを照らし出すこととなり、これらカバーや保持体に、光を利用した多種多様な加飾を得ることが可能となって、繰り上げ式の棒状物収納ケースに、特徴的で固有の雰囲気を醸し出させる美的もしくは斬新で新奇な装飾効果を生じさせ得る。
【００１０】
また、前記キャップには、前記カバーを透過した前記光源装置の光を透過させる光透過部が形成されることを特徴とする。キャップにも光透過部を形成するようにしていて、これによりケース本体にキャップを装着してカバーを覆っていても、ケース本体内で発せられる光源装置の光は、カバーや保持体の光透過部を介して、キャップの光透過部を照らし出すこととなり、キャップを装着している棒状物の不使用時であっても、光を利用した多種多様な加飾を得ることが可能となって、繰り上げ式の棒状物収納ケースに、特徴的で固有の雰囲気を醸し出させる美的もしくは斬新で新奇な装飾効果を生じさせ得る。
【００１１】
また、前記ケース本体には、前記光源装置の光を透過させる光透過部が形成されることを特徴とする。ケース本体にも光透過部を形成するようにしていて、ケース本体内で発せられる光源装置の光は、そのままケース本体の表面を照らし出すこととなり、このようにしても光を利用した多種多様な加飾を得ることが可能となって、繰り上げ式の棒状物収納ケースに、特徴的で固有の雰囲気を醸し出させる美的もしくは斬新で新奇な装飾効果を生じさせ得る。
【００１２】
さらに、前記光源装置は、光源と、該光源の発光をコントロールするコントローラと、これらコントローラおよび光源に電力を供給するバッテリとからなることを特徴とする。コントローラで光源の発光をコントロールするようにしていて、これにより視覚的に訴える、光による多種多様な演出効果が得られ、棒状物収納ケースに、特徴的で固有の雰囲気を醸し出させる美的もしくは斬新で新奇な装飾を施すことが可能となる。
【００１３】
【発明の実施の形態】
以下に、本発明にかかる繰り上げ式の棒状物収納ケースの好適な一実施形態を、添付図面を参照して詳細に説明する。本実施形態にかかる繰り上げ式の棒状物収納ケース１は図１〜図３に示すように、中空円筒体状のケース本体２の内側に、中空円筒体状のカバー３が設けられるとともに、このカバー３の内側に、中空円筒体状の保持体４が設けられ、かつ、この保持体４に、口紅などの棒状物５が保持されることにより概略構成され、そして、ケース本体２の縮径された上端部２ａには、カバー３の上部を覆って、キャップ６が着脱可能に装着されるようになっている。
【００１４】
図示例にあっては、繰り上げ式の棒状物収納ケース１として、保持体４に、棒状物５として口紅が保持される口紅容器が例示されている。しかしながら、繰り上げ式の棒状物収納ケース１としては、このような口紅容器に限らず、いかなる棒状物５を収納するものであっても良いことはもちろんである。
【００１５】
ケース本体２は上下端が開放されて形成され、その内周にはその軸方向である上下方向に、棒状物５の繰り上げ量に対応させて相当の長さにわたって螺旋溝７が形成される。そして、ケース本体２の開放された下端には、リング状の底板８が取り付け取り外し可能に螺着される。カバー３はこれも上下端が開放されて形成され、かつケース本体２より長く形成されて、このケース本体２の内側に相対回転可能に設けられる。そして、カバー３をケース本体２に取り付けた状態では、カバー３の上端部３ａがケース本体２の上端部２ａから外方へ突出される。また、カバー３がケース本体２に取り囲まれる部分には、螺旋溝７の形成部分に対応させて縦スリット９が形成される。
【００１６】
保持体４は、上下方向中央部に仕切り部４ａを有し、かつ上下端が開放されて形成され、カバー３の内側に上下方向へ相対移動可能に設けられる。そして、保持体４の下端部外側からは、縦スリット９を貫通して螺旋溝７に係合する突起１０が一体に突設される。また、保持体４の仕切り部４ａ上に、棒状物５が保持される。キャップ６は、上端が閉止された中空円筒体状に形成される。このキャップ６は、ケース本体２の上端部２ａに形成されたリブ２ｂに嵌合されて、ケース本体２に着脱可能に装着される。
【００１７】
以上のように構成された本実施形態の繰り上げ式の棒状物収納ケース１にあっては、図２に示すように棒状物５を収納してキャップ６を装着した状態では、ケース本体２およびキャップ６がその外観を形成し、カバー３および保持体４はその内部に隠蔽される。他方、棒状物５を取り出す際には、キャップ６を取り外してケース本体２とカバー３とを相対回転、例えばケース本体２を右回転することにより、縦スリット９を貫通する保持体４の突起１０が螺旋溝７に沿って移動する。すると、図１および図３に示したように保持体４が上方に繰り上げられ、棒状物５がカバー３の上端部３ａから突出される。また、棒状物５を収納するときには、ケース本体２とカバー３とを反対方向に相対回転、例えばケース本体２を左回転することにより、突起１０が螺旋溝７に沿って逆方向に移動されて保持体４は繰り下げられ、棒状物５がカバー３内に収納される。
【００１８】
そして特に、本実施形態にかかる繰り上げ式の棒状物収納ケース１にあっては、ケース本体２内に光源装置１１が設けられるとともに、カバー３および保持体４には、光源装置１１の光を透過させる光透過部が形成される。光源装置１１は、ケース本体２内を上下移動する保持体４の仕切り部４ａ下に区画形成される空間部Ｓ内に、リング体８上に取り付けて設けられる。
【００１９】
この光源装置１１は、保持体４およびカバー３、ひいてはケース本体２に周囲を取り囲まれて配置されるＲＧＢ光源１２と、このＲＧＢ光源１２の各色の発光量をコントロールするコントローラを構成する電子部品が実装された電子基板１３と、これら電子基板１３およびこれを介してＲＧＢ光源１２に電力を供給するボタン型電池などのバッテリ１４と、バッテリ１４から電子基板１３などへの電力供給を断続するスイッチ１５とが、これらを上下に積み重ねる配置で取り付けて構成され、リング体８の脱着で部品交換可能とされる。ＲＧＢ光源１２は電子基板１３上に直接実装されている。またスイッチ１５は、その操作用押しボタン１５ａがリング板８の孔部８ａを介して、下方に露出される。
【００２０】
ＲＧＢ光源１２としては、ＬＥＤや有機エレクトロルミネセンス（ＥＬ）素子など、従来知られている各種のものを採用することができる。コントローラを構成する電子部品には、ＲＧＢ光源１２の発光をコントロールするプログラミングが書き込まれたＩＣチップ等の制御素子が含まれ、スイッチ１５によってバッテリ１４から電力が供給されることにより、プログラミングに従ってＲＧＢ光源１２を発光させる。
【００２１】
ＲＧＢ光源１２の発光のさせ方としては、例えば全体の発光量を増減させてゆっくりと明滅させながら、この明滅の間に、赤、緑および青の発光割合を順次変化させてさまざまな色合いで発光させたり、あるいは短い時間間隔で明滅させながらそのたびにさまざまな色に変えて発色させるなど、どのようなプログラミングを制御素子に格納してもよい。光源としては、ＲＧＢ光源１２に限らず、単色光の光源であってもよいことはもちろんである。
【００２２】
他方、カバー３および保持体４に形成される光透過部については本実施形態にあっては、これらカバー３および保持体４それ自体が無色もしくは有色の、透明あるいは半透明の合成樹脂材で形成されて、全体が光透過部として機能するように構成されている。しかしながら、光透過部については、これらカバー３や保持体４の一部を、光透過性を呈する合成樹脂材やガラス材、クリスタル材などの透光性材料で形成し、残りの部分を遮光性の材料で形成するようにして、これらカバー３等に部分的に形成するようにしてもよい。この場合には例えばインサート成形、すなわちカバー３などを合成樹脂材で射出成形する際に、あらかじめ透光性材料を成形型内に取り付けておき、射出される遮光性の合成樹脂材と一体化するなどの方法で製造すればよい。
【００２３】
次に、上記構成を備える本実施形態の繰り上げ式の棒状物収納ケース１の作用について説明する。キャップ６をケース本体２から取り外した状態でスイッチ１５を入れると、バッテリ１４からＲＧＢ光源１２や電子基板１３に電力が供給され、ＲＧＢ光源１２は、制御素子に書き込まれたプログラミングに従って、明滅などしながら多種多様な色合いや明るさで発光する。このＲＧＢ光源１２の光は図２に示すように、当該ＲＧＢ光源１２を取り囲む保持体４やカバー３に照射され、これらを透過しつつこれらカバー３等を様々な態様で照らし出す。
【００２４】
そして特に、保持体４を繰り上げて棒状物５をケース本体２から突出させると、図３に示すように棒状物５とともに保持体４の仕切り部４ａが相当の高さ位置に上昇するので、棒状物５によって光が遮られることが少なくなって、ＲＧＢ光源１２の光は、ケース本体２の上端部２ａから突出しているカバー３の上端部３ａをより強い光で照らし出すことができる。そして他方、スイッチ１５を切ると、ＲＧＢ光源１２は消灯される。
【００２５】
このように以上説明した本実施形態にかかる繰り上げ式の棒状物収納ケース１にあっては、ケース本体２内に光源装置１１を設けるとともに、カバー３および保持体４を、透光性を呈するように形成していて、ケース本体２内で発せられるＲＧＢ光源１２の光は、当該ケース本体２に設けられたカバー３、並びに当該カバー３に設けられた保持体４を透過して、それらを照らし出すこととなり、これらカバー３や保持体４に、光を利用した多種多様な加飾を施すことができて、繰り上げ式の棒状物収納ケース１に、特徴的で固有の雰囲気を醸し出させる美的もしくは斬新で新奇な装飾効果を生じさせることができる。
【００２６】
また、コントローラでＲＧＢ光源１２の発光をコントロールするようにしていて、これにより視覚的に訴える、光による多種多様な演出効果が得られ、繰り上げ式の棒状物収納ケース１に、特徴的で固有の雰囲気を醸し出させる美的もしくは斬新で新奇な装飾を施すことができる。
【００２７】
図４には、キャップ６の変形例が示されている。この変形例にあっては、キャップ６には、カバー３を透過したＲＧＢ光源１２の光を透過させる光透過部１６が形成されている。図示例にあっては、キャップ６の頂面に透光部材１７が一体的に設けられている。この透光部材１７としては、無色もしくは有色の、透明あるいは半透明の合成樹脂材やガラス材、クリスタル材を用いることができ、これをインサート成形によってキャップ６に組み込むようにすればよい。このような変形例にあっても、上記実施形態と同様の作用・効果を奏することはもちろんである。
【００２８】
特にこの変形例にあっては、ケース本体２にキャップ６を装着してカバー３等を覆っていても、ケース本体２内で発せられるＲＧＢ光源１２の光は、カバー３や保持体４を介して、キャップ６の透光部材１７を照らし出すこととなり、キャップ６を装着している棒状物５の不使用時であっても光を利用した多種多様な加飾を得ることができて、繰り上げ式の棒状物収納ケース１に、特徴的で固有の雰囲気を醸し出させる美的もしくは斬新で新奇な装飾効果を生じさせることができる。キャップ６は、その全体を透光性の材料で形成してもよいことはもちろんである。
【００２９】
また、ケース本体２に、ＲＧＢ光源１２の光を透過させる光透過部を形成するようにしてもよい。このようにすれば、ケース本体２内で発せられるＲＧＢ光源１２の光は、カバー３や保持体４、キャップ６のみならず、そのままケース本体２の表面も照らし出すこととなり、このようにしても光を利用した多種多様な加飾を得ることができて、繰り上げ式の棒状物収納ケース１に、特徴的で固有の雰囲気を醸し出させる美的もしくは斬新で新奇な装飾効果を生じさせることができる。このケース本体２についても、その全体を透光性の材料で形成してもよいことはもちろんである。
【００３０】
【発明の効果】
以上要するに、本発明にかかる繰り上げ式の棒状物収納ケースにあっては、光を利用した多種多様な加飾を得ることができ、特徴的で固有の雰囲気を醸し出させる美的もしくは斬新で新奇な装飾効果を生じさせることができる。
【図面の簡単な説明】
【図１】本発明にかかる繰り上げ式の棒状物収納ケースの好適な一実施形態を示す斜視図である。
【図２】図１の繰り上げ式の棒状物収納ケースの側断面図である。
【図３】図１の繰り上げ式の棒状物収納ケースで、棒状物を繰り上げた状態を示す一部破断側面図である。
【図４】本発明にかかる繰り上げ式の棒状物収納ケースの変形例を示す側断面図である。
【符号の説明】
１  繰り上げ式の棒状物収納ケース    ２  ケース本体
３  カバー                          ４  保持体
５  棒状物                          ６  キャップ
７  螺旋溝                          ９  縦スリット
１０  突起                          １１  光源装置
１２  ＲＧＢ光源                    １３  電子基板
１４  バッテリ
【図１】
2004337319.tif 000003
【図２】
2004337319.tif 000004
【図３】
2004337319.tif 000005
【図４】
2004337319.tif 000006